(57)【要約】ファスナ・クリップ１１からプラスチック・ファスナ１３を分配するための工具２４であって、ファスナ・クリップ１１の各プラスチック・ファスナ１３が、スタブ２１により共通のランナ・バー２０に結合されたクロス・バー１７を有する。工具２４は、銃型ケーシング２５を含む。ファスナ・クリップを受けるための案内溝３９が、上部から下方へ伸びる。中空溝付針４０が、銃型ケーシング２５の前部に取り付けられる。イジェクタ・スライド５５と送りスライド５９とが、銃型ケーシング２５内に配置され、銃型ケーシング内で前後に移動可能となっている。送りカム６３がケーシング内に配置され、送りカム６３の１箇所がケーシングに回転可能に取り付けられ、別の箇所が送りスライド５９に枢着される。送りカム６３は、外側に突出する離間した１対のピンを有する前面を含む。送り爪６５が、１対のピンの間で送りカム６３に配置される。送り爪６５は、プラスチック・ファスナのスタブに係合する歯を有して、クロス・バーを中空針４０の入口開口に合わせて進める。
2004513030.tif 000002
【特許請求の範囲】
【請求項１】
ファスナ・クリップからプラスチック・ファスナを分配するための工具であって、各プラスチック・ファスナが、スタブにより共通のランナ・バーに結合されたクロス・バーを有し、装置が、
ａ．前部、後部、および上部を有し、前記ファスナ・クリップを受けるための案内溝が上部から下方へ延びる銃型ケーシングと、
ｂ．銃型ケーシング内に取り付けられ、案内溝に連通する入口開口と、出口開口とを有する中空溝付針と、
ｃ．銃型ケーシング内に配置され、銃型ケーシング内で前後に移動可能なイジェクタ・スライドと、
ｄ．銃型ケーシング内に配置され、銃型ケーシング内で前後に移動可能な送りスライドと、
ｅ．１箇所でケーシングに回転可能に取り付けられ、別の箇所で送りスライドに枢着され、離間した１対のピンを有する、ケーシング内の送りカムと、
ｆ．１対のピンの間で送りカムに配置され、プラスチック・ファスナのスタブに係合する歯を有して、分配すべきプラスチック・ファスナのクロス・バーを中空針の入口開口に合わせて進める送り爪と、
ｇ．イジェクタ・スライドに取り付けられ、前記中空溝付針を通って前後に摺動可能に移動することができ、分配すべきプラスチック・ファスナを中空溝付針に押し通し、かつ出口開口を通して中空溝付針から押し出すイジェクタ・ロッドと、
ｈ．銃型ケーシング内でイジェクタ・スライドと送りスライドとを前後に移動させるための引金リンク・アセンブリとを含み、
ｉ．送りスライドの前後移動により送りカムが回転移動し、続いて送り爪を担持する送りカム上の１対の離間したピンが上方および／または下方へ移動し、イジェクタ・スライドの前後移動により、前記イジェクタ・ロッドが前記中空溝付針の内外へ移動する工具。
【請求項２】
前記中空溝付針が後端部を含み、前記後端部が戻止めを含む、請求項１に記載の工具。
【請求項３】
前記後端部がナイフの刃をさらに含む、請求項２に記載の工具。
【請求項４】
前記送りスライドが前面に１対の突起を含む、請求項２に記載の工具。
【請求項５】
前記引金リンク・アセンブリが、引金と、アイドラ・リンクと、引金リンクとを含む、請求項２に記載の工具。
【請求項６】
前記送り爪を前方に圧迫する送り爪ばねをさらに含む、請求項２に記載の工具。
【請求項７】
前記送り爪を後方に圧迫する送り爪ばねをさらに含む、請求項２に記載の工具。
【請求項８】
前記送り爪が金属である、請求項２に記載の工具。
【請求項９】
ファスナ・クリップからプラスチック・ファスナを分配するための工具であって、各プラスチック・ファスナが、スタブにより共通のランナに結合されたクロス・バーを有し、装置が、
ａ．前記ファスナ・クリップを受けるための案内溝を有する銃型ケーシングと、
ｂ．銃型ケーシング内に取り付けられ、案内溝に連通する入口開口と、出口開口とを有する中空溝付針と、
ｃ．回転可能に取り付けられた送りカムと、前記送りカムにより移動可能な関節式の送り爪とを含む、プラスチック・ファスナを中空溝付針に送るための送り機構と、
ｄ．前記中空溝付針にプラスチック・ファスナを押し通すための排出機構と、
ｅ．前記送り機構と前記排出機構とに結合され、送り機構と排出機構の動作を制御するための引金リンク・アセンブリとを含む工具。
【請求項１０】
ファスナ・クリップであって、
ａ．一端部に第１のクロス・バーを有する可撓性フィラメントを含む、第１のファスナと、
ｂ．一端部に第１のクロス・バーを有する可撓性フィラメントを含む、第２のファスナとを含み、
ｃ．前記第１のファスナと前記第２のファスナとが、平行かつ並列に離間して配置され、
ｄ．さらに、前記第１のファスナの前記第１のクロス・バーを前記第２のファスナの前記第１のクロス・バーに接続する、第１のコネクタ・ポストと、
ｅ．前記第１のファスナおよび第２のファスナの第１のクロス・バーから離間した、細長のランナ・バーと
ｆ．前記細長のランナ・バーを前記第１のファスナの第１のクロス・バー端部に接続し、前記第１のファスナの第１の拡大端部に形成された第１の端部を有する偏心スタブとを含む、ファスナ・クリップ。
【発明の詳細な説明】
【０００１】
（関連出願の相互参照）
本出願は、開示を参照により本明細書に援用する、２０００年１１月３日付提出の米国仮特許出願第６０／２４５４７７号の、３５ＵＳＣ１１９（ｅ）による恩恵を主張する。
【０００２】
（発明の背景）
本発明は、一般に、プラスチック・ファスナ（締着具）を使用して物体を固定することに関し、詳細には、新規なファスナ・クリップ（挿具子）および新規なファスナ分配工具に関する。
【０００３】
一端部にクロス・バー（横棒）を有し、他端部にクロス・バーまたはパドル（へら状部）を有し、２つの端部を接続する薄型フィラメント（線状体）または架橋を有するプラスチック・ファスナが当業界で公知であり、単一の物体の２つの部分、または２つ以上の物体を結合するために工業で広く使用されている。例えば、危険または不注意による外れを最小限にする方法で、衣料品にボタンを付けたりボタンを付け直したり、商品にラベル、値札、その他の品物を取り付けたりするのに使用されている。一般に、このようなプラスチック・ファスナはファスナ・ストックの形状で製造され、このファスナ・ストックは、ナイロン、ポリエチレン、ポリプロピレン等の可撓性プラスチック材料から成形または打抜きすることにより製造される。
【０００４】
１つの公知のタイプのファスナ・ストックでは、各ファスナの一端部のクロス・バーがスタブ（短端部）によりランナ・バー（滑走棒）に接続されて、ファスナのクリップを形成する。
【０００５】
ファスナ・ストックに関する更なる情報を、米国特許第６１７３８３６号、米国特許第４９５５４７５号、米国特許第４４５６１６１号、米国特許第４１２１４８７号、米国特許第３４７０８３４号、米国特許第３１０３６６６号に見つけることができる。
【０００６】
ファスナ・ストックからの個々のファスナの分配は、一般に「タグ付け銃」と呼ばれる装置により達成されることが多い。一般にタグ付け銃は、銃本体に形成された案内溝でファスナ・ストックを受けるように構成された、手持型の引金式装置である。タグ付け銃は、通常、案内溝に挿入されたファスナ・ストックの個々のファスナのクロス・バー端部を、銃の前端部にある中空針の縦軸に合わせて送るための機構と、ファスナのクロス・バー端部を中空針に押し通した後、中空針の先端から押し出すための機構とを含む。タグ付け銃には、手動のものもあれば、電機モータにより電力供給されるものもある。
【０００７】
米国特許第６２９３３９９号は、ほぼ平行かつ並列に離間して配置された複数のファスナを含む一体型プラスチック・ファスナ・クリップを開示している。各ファスナは、第１の拡大端部と第２の拡大端部とを有する細長の可撓性フィラメントを含む。１つの実施形態では、第１の拡大端部および第２の拡大端部の各々が、ほぼ円筒形の横棒である。別の実施形態では、第１の拡大端部が不均一な横断面を持つ横棒であり、第２の拡大端部が一般にノブ型の頭部である。第１のコネクタ・ポスト（接続支柱）が、第１のファスナの第１の拡大端部を第２のファスナの第１の拡大端部に、対向面のほぼ中間点で接続する。第２のコネクタ・ポストが、第１のファスナの第２の拡大端部を第２のファスナの第２の拡大端部に、対向面のほぼ中間点で接続する。第１および第２のコネクタ・ポストは、横断面が均一であっても、一端部に向かってテーパ状になっていてもよいが、好ましくは、第１および第２のファスナの第１の拡大端部を互いに対して枢動させ、かつ第１および第２のファスナの第２の拡大端部を互いに対して枢動させるのに十分な可撓性を持つ。
【０００８】
米国特許第６０４７８２３号は、ドレス・シャツ等の衣料品を折り畳んだ状態に維持する方法、およびその方法に使用するのに適したプラスチック・ファスナを開示している。１つの実施形態によれば、プラスチック・ファスナはポリプロピレン製の一体構造であり、第２の端部に第１のクロス・バーを有する可撓性フィラメントを含む。フィラメントの長さは約７ｍｍであり、引っ張り強さは約１．８１４ｋｇ（４ポンド）である。好ましくは、ファスナはクリップの一部として成形され、このクリップは、各第１のクロス・バーを互いに平行にし、各第２のクロス・バーを互いに平行にした状態で、並列に配置された複数の同一のこの種のファスナを含み、第１のクロス・バーの各々が、切断可能なコネクタ（接続具）により、直交して配置された共通のランナ・バーに結合される。使用時には、ランナ・バー型クリップと共に使用するタイプのタグ付け銃にクリップが装填され、ドレス・シャツが所望の方法で折り畳まれ、ファスナの第１のクロス・バーが、タグ付け銃により、折り畳まれたシャツに、適宜の対の位置で、シャツを完全に通過して分配され、第２のクロス・バーはドレス・シャツに挿入されない。希望に応じて更なるファスナを同様の方法で使用して、シャツの他の領域が確実に折り畳まれた状態のままとなるようにする。シャツを広げるには、２つの部分を接続するファスナのフィラメントが切れるまで、折り畳まれたシャツの２つの部分を引き離すだけでよい。
【０００９】
米国特許第５６８３０２５号は、ファスナ・ストックのクリップからプラスチック・ファスナを分配するための装置であって、各ファスナが、スタブにより共通のランナ・バーに結合されたクロス・バーを有する装置を開示している。装置はプラスチック製の銃型ケーシングを含む。入口開口および出口開口を有する中空針がケーシングの前部に取り付けられる。ファスナ・ストックを受けるための案内溝がケーシングに形成され、この案内溝は中空針の入口開口に連通する。案内溝は前壁により限定されたスタブ受け部を含む。装置は案内溝の後側でケーシングに取り付けられた送り部材を含む。送り部材は、個々のファスナのスタブに係合する下面を有する歯を含み、分配すべきファスナのクロス・バーを中空針の入口開口に合わせて進めるように、ファスナ・ストックを進める。
【００１０】
米国特許第５４９７９３０号は、タグ取付装置を開示している。このタグ取付装置は、タグ・ピンの接続部に係合可能な歯が突出する送り部材と、接続部を持つ歯と平行に係合可能な歯が突出するストッパ部材とが互いに平行に延び、送り部材がヘッド部とヘッド部から延びるレバー部とを有し、送り部材が可動部材の前後移動に直接したがって回転して、タグ・ピンを所定の位置に移送するように構成される。
【００１１】
米国特許第５３８８７４９号は、ファスナ・ストックからプラスチック・ファスナを分配するための装置が銃型ケーシングを含むことを開示している。入口開口を有する中空針がケーシングに取り付けられる。ファスナ・ストックを受けるための案内溝がケーシングに形成され、この案内溝は前記中空針の前記入口開口に連通する。案内溝に装填されたファスナ・ストックを間欠的に進めるためのフィーダ要素が、ケーシングに取り付けられる。プラスチック・ファスナをファスナ・ストックから一度に１つずつ中空針に押し通し、かつ押し出すための、イジェクタ・ロッド（突出し棒）が設けられる。
【００１２】
米国特許第５０７４４５２号は、イジェクタ・ロッドを引金式レバーにより進めて、個々のファスナをファスナ群から切断し、切断されたファスナを中空溝付針を通して分配するタグ取付銃を開示している。この装置は、一体型の一枚歯送り部材を組み込んでおり、ファスナ群を進めて最前部のファスナを針に合わせる。この種の送り部材は、送り歯で終端するＵ字形の弾性フィンガ（指状体）と一体の、往復するように取り付けられた本体を含む。送り部材と弾性送りフィンガとは、ファスナ群に係合してファスナ群を進めるために直線移動し、フィンガは、戻り運動中に、群の次のファスナを通すために屈曲する。
【００１３】
米国特許第４５１１０７３号は、改良されたファスナ送り機構を有するファスナ分配装置を開示している。送り機構は、ファスナ・アセンブリ（組立体）から案内溝に隣接して装置に回転可能に支持され、かつファスナの接続首部に当接する摩擦車を含む。支持板には摩擦車が同軸に取り付けられ、装置の操作レバーを枢動させると支持板が枢動するようになっている。車輪駆動部材が、支持板に枢動可能に支持され、かつ摩擦車に選択的に係合する突出部を含み、操作レバーを枢動させると突出部が摩擦車に係合して摩擦車を回転させ、次のファスナが所定の排出位置まで移動して分配装置の中空針を通して押し出されるように、摩擦車がファスナ・アセンブリを移動させる。
【００１４】
米国特許第４４８２０８８号は、フレーム、ファスナ取付用中空針、ファスナ供給歯車、ファスナ供給歯車を増加させるためのベル・クランク機構を摺動によって作動させるプランジャ、およびファスナ供給歯車の逆方向運動を防ぐ爪を含む、タグ取付装置を開示している。
【００１５】
米国特許第４４５６１６２号は、このタグ取付装置におけるタグ・ピン・アセンブリを送るための装置を開示している。この装置は、タグ・ピン・アセンブリを挿入する案内孔に沿って上下に移動可能なカム板と、カム板上に枢動可能に設けられた固定部材と、固定部材とタグ取付装置本体との間に設けられたばねとから構成される。固定部材は、タグ・ピン・アセンブリの接続捧の両面に接触する固定具を有し、接続捧に力を加えて移動させるようになっている。タグ・ピン駆動動作中に、ばね力に対抗してカム板を上方に移動させると、接続捧の両面が押圧されて、カム板に揺動可能に設けられた固定部材により保持される。タグ取付装置本体に設けられたレバーに加わる把持力が解除されると、カム板がばねの弾性力により下降して、サイドスリット針の後部の駆動位置にタグ・ピン・アセンブリのタグ・ピンを送る。
【００１６】
米国特許第４４１６４０７号は、ファスナ群を受け、かつファスナを個々に、例えば溝付中空針を通して放出することのできる装置により、ファスナを分配するための装置を開示している。分配されたファスナは、一般に、品物を互いに取り付けるのに使用することができ、特に、情報を記載したタグを繊維商品等に付けるのに使用することができる。装置は、引金式送り機構と、同時に操作可能な放出機構とを含む。両機構は、装置内に割り当てられ配置されて直線運動を行うレバーの先端により制御される。送り機構は、装置の残りの部分から分離して、挿入された群の通過または詰まりの除去を可能にする。さらに、送り機構は、送り車の周囲のくぼみに接触して延びる歯を有する平面の爪により操作される。
【００１７】
米国特許第３８８８４０２号は、ファスナ取付部材を一度に１つずつ定位置に配置し、針等を通して分配するための送り機構を開示している。前記機構に含まれる送り車は、送り車に向かって弾性圧迫される歯と爪とを有し、前記爪は歯の間の空間内または空間外へ、前記車の面を横切って摺動可能である。さらに、爪に係合して爪を前記車から離し、ファスナ取付部材が装置から引き抜かれるようにするための押下げ可能手段が開示される。
【００１８】
米国特許第３７５９４３５号は、両端部に頭部を持つフィラメントを有するタイプのファスナ取付部材を分配するための装置を開示している。この装置は、ケーシングと、ファスナ取付部材が通って分配される孔を有する、ケーシングから突出する針と、取付部材の１つのヘッドを針孔に押し通すプランジャまたはイジェクタとを含む。このプランジャは、ギヤと摺動ラックとの組み合わせにより進められ、摺動ラックは薄板状であって、この摺動ラックでは、溝付孔を持つ送り爪によって進む割出し車により、取付部材が針の前、かつイジェクタの前方に送られ、前後移動に伴って揺動することにより、割出し車に係合し、かつ割出し車から分離することが可能になる。
【００１９】
問題となる他の特許としては、米国特許第６２６７２８５号、米国特許第６１７３８３６号、米国特許第５７７２０７３号、米国特許第５５２９２３３号、米国特許第５３９８８５９号、米国特許第４９６９５８９号、米国特許第４６５１９１３号、米国特許第４０４９１７６号、米国特許第３９０１４２８号がある。
【００２０】
（発明の概要）
本発明の目的は、ファスナ・クリップからプラスチック・ファスナを分配するための、新規かつ改良されたファスナ分配工具を提供することである。
【００２１】
本発明の別の目的は、新規かつ改良されたファスナ・クリップを提供することである。
【００２２】
本発明の１つの態様によれば、ファスナ・クリップからプラスチック・ファスナを分配するためのファスナ分配工具であって、クリップの各プラスチック・ファスナが、スタブにより共通のランナ・バーに結合されたクロス・バーを有し、装置が、前部、後部、および上部を有し、前記１本のファスナ・ストックを受けるための案内溝が上部から下方へ延びる銃型ケーシングと、銃型ケーシング内に取り付けられ、案内溝に連通する入口開口と、出口開口とを有する中空溝付針と、銃型ケーシング内に配置され、銃型ケーシング内で前後に移動可能なイジェクタ・スライド（突出し摺動子）と、銃型ケーシング内に配置され、銃型ケーシング内で前後に移動可能な枢動ばね押し送りスライドと、１箇所でケーシングに回転可能に取り付けられ、別の箇所で送りスライドに枢着され、外側に突出する離間した１対のピンを持つ前面を有する、ケーシング内の送りカムと、１対のピンの間で送りカムの前面に配置され、プラスチック・ファスナのスタブに係合する歯を有して、分配すべきプラスチック・ファスナのクロス・バーを中空針の入口開口に合わせて進める、関節式のばね押し送り爪と、イジェクタ・スライドに取り付けられ、中空溝付針を通って前後に摺動可能に移動して、分配すべきプラスチック・ファスナを中空溝付針に押し通し、かつ出口開口を通して中空溝付針から押し出すように配置されたイジェクタ・ロッドと、銃型ケーシング内でイジェクタ・スライドと送りスライドとを前後に移動させるための引金リンク・アセンブリとを含み、送りスライドの前後移動により送りカムが回転移動し、続いて送り爪を担持する送りカム上の１対の離間したピンが上方および／または下方へ移動し、イジェクタ・スライドの前後移動により、前記イジェクタ・ロッドが前記中空溝付針の内外へ移動するファスナ分配工具が提供される。
【００２３】
本発明の別の態様によれば、複数のプラスチック・ファスナと共通のランナ・バーとを含むファスナ・クリップであって、各プラスチック・ファスナが、ファスナ分配工具の送り爪の歯に係合する鋭利な端部で終端する平坦な内面を有する偏心スタブを通して、共通のランナ・バーに接続される、ファスナ・クリップが提供される。
【００２４】
本発明の別の態様によれば、ファスナ・クリップは、ランナ・バーのどの端部をツールの案内溝に挿入すべきかを容易に示すように構成される。
【００２５】
本発明の更なる目的、特徴、および利点は、一部が以下の記述に記載され、一部が記述から明らかであり、または本発明の実施により理解することができる。記述中において添付図面を参照する。この図面は記述の一部をなし、本発明を実施する特定の実施形態を例示によって示している。本実施形態は、当業者が本発明を実施することができるように十分詳細に記載されているが、本発明の範囲を逸脱することなく他の実施形態を使用し、構造上の変更を加えることができることを理解すべきである。したがって、以下の詳細な説明を限定的な意味で解釈すべきでなく、本発明の範囲は、添付の請求の範囲によって最も良く定義される。
【００２６】
図中、同一の参照符号は同一の部分を示す。
【００２７】
（好ましい実施形態の詳細な説明）
図を参照すると、図１〜４は、それぞれ、本発明によるファスナ・クリップの平面図、部分斜視図、部分側面図、および部分横断面図であり、ファスナ・クリップは参照符号１１で示される。図を見るとわかるように、ファスナ・クリップ１１は複数のファスナ１３を含み、各ファスナ１３は、一端部にクロス・バー１５を有し、他端部にクロス・バー１７を有し、２つの端部を接続する薄型フィラメント１９を有する。各ファスナ１３は、クロス・バー１５から突出する短い偏心スタブ２１を通して共通のランナ・バー２０に結合される。スタブ２１は内面２１−１を有し、この内面２１−１は平坦であり、かつ以下で詳細に述べるように、本発明の装置の送り爪の歯に係合する鋭利な縁部で終端する。
【００２８】
また、クリップ１１は、第１の複数の切断可能なコネクタ・ポスト２３−１と第２の複数の切断可能なコネクタ・ポスト２３−２とを含む。コネクタ・ポスト２３−１は、隣接するクロス・バー１５の対向面をほぼ中間点で接続し、かつクロス・バー１５の縦軸に対してほぼ垂直方向に延び、コネクタ・ポスト２３−２は、隣接するクロス・バー１７の対向面をほぼ中間点で接続し、かつクロス・バー１７の縦軸に対してほぼ垂直方向に延びている。個々のファスナ１３と、関連するコネクタ・ポスト２３−１、２３−２の側面図、上面図、および正面図が、それぞれ図５〜７に示される。
【００２９】
本実施形態では、コネクタ・ポスト２３−１、２３−２の長さＬ２は約０．２０３ｍｍ（０．００８インチ）である。クロス・バー１５、１７の長さＬ３は約２．７９４ｍｍ（０．１１インチ）、直径は０．５５９ｍｍ（０．０２２インチ）であり、延伸されたフィラメントの長さはＬ３（すなわち、クロス・バー間の長さ、約４．４７０ｍｍ（０．１７６インチ））である。
【００３０】
ファスナ・クリップ１１はナイロン、ポリエチレン、またはポリプロピレン等のプラスチックから作られる。図では、例として、ファスナ・クリップ１１が、約０．８１３ｍｍ（０．０３２インチ）のピッチ（すなわちフィラメント間の距離）で１２０個のファスナ１３を有する。
【００３１】
ランナ・バー２０は、ファスナ分配工具に挿入される第１の端部２０−１と、第２の端部２０−２とを有する。図１を見るとわかるように、端部２０−１は端部２０−２よりもファスナ１３からさらに突出し、ランナ・バーのどの端部を工具に挿入すべきかを容易に示すように（各スタブの面２１−１が正しい方向を向くように）なっている。
【００３２】
別のタイプのファスナ・クリップでは、コネクタ・ポスト２３−２がなく、クロス・バー１７は接続されない。
【００３３】
残りの図面を参照すると、図８、９は、ファスナ・クリップ１１からプラスチック・ファスナ１３を分配するための、本発明により構成された工具の上面図および側面斜視図であり、工具は参照符号２４で示される。図９では、クリップ１１の一部が工具２４に挿入されている。
【００３４】
工具２４は、ハンドル部２７とバレル部２９とを有する中空銃型ケーシング２５を含む。ケーシング２５は、右半部３１と左半部３３とから形成される。半部３１は、５つの細長リブ３１−１、３１−２、３１−３、３１−４、３１−５を含む。半部３１、３３は、成形プラスチック等の都合のよい材料から作ることができ、ねじ３５により結合される。あるいは、スナップ嵌め、音波溶接、接着、リベット締め等により、半部３１、３３を結合することもできる。工具２４は、ハンドル部２７の前部に位置するレバー型引金リンク・アセンブリにより手動で作動される。引金リンク・アセンブリは引金３７を含む。ファスナ・クリップ１１が挿入されるバレル部２９の上部に、案内溝３９が形成される。工具２４は、中空溝付針４０と針アダプタ４０−１とを含む針アセンブリをさらに含む。針アダプタ４０−１はケーシング２５前部の開口内に取り付けられ、中空溝付針４０は針アダプタ４０−１内に取り付けられる。針４０は金属から作られ、針アダプタ４０−１はプラスチックから作られる。針アダプタ４０−１は、針固定具４０−２によりケーシング２５のバレル部２９内で定位置に保持される。針４０は、ファスナ１３のクロス・バー１５を受けるための入口開口４０−３を後部に含む。針４０の後端部は、ナイフ４１を画定するように形成された部分を含み、このナイフ４１は、ファスナ・クリップ１１が針４０に送られるときにファスナ・クリップ１１からファスナ１３を分離するのに役立つ。戻止め４０−４が、針アダプタ４０−１の後面に形成される。戻止め４０−４は、送り動作中にファスナ・ストック１１が案内溝３９から後退するのを防ぐ。針アダプタ４０−２の前端部４０−５は止めとして働き、ファスナを付けるべき物体への針４０の穿刺を制限する。装置２３の動作中、ファスナ・クリップ１１は工具２４の溝３９内に挿入される。分配すべきファスナ１３のクロス・バー１５は、入口開口４０−３を通して針４０内へ送られた後、以下に述べるように、針４０の先端４０−５を通して押し出される。
【００３５】
引金３７が、一体形成された枢動ピン４６により、ケーシング２５の右半部３１に枢着される。引金リンク・アセンブリは、圧縮ばね４７、コネクタ・バー４７−１、アイドラ・リンク４７−２、ピン４９、引金リンク５１、およびピン５４をさらに含む。引金３７は、コネクタ・バー４７−１に取り付けられた圧縮ばね４７により外側に偏って保持される。コネクタ・バー４７−１の一端部はアイドラ・リンク４７−２に枢動接続され、他端部は引金３７に枢動接続される。アイドラ・リンク４７−２の他端部は、一端部でピン４８、４９により引金リンク５１に枢動接続される。引金リンク５１の一端部は、引金３７に枢着される。引金リンク５１の他端部５３は、ピン５４によりイジェクタ・スライド５５に枢着される。
【００３６】
イジェクタ・ロッド５６は、イジェクタ・スライド５５の前端部に固着され、ファスナのクロス・バーを針４０から押し出すのに使用される。イジェクタ・スライド５５とイジェクタ・ロッド５６とは、針４０にファスナを押し通すための排出機構を形成する。工具２４は、針４０にファスナを送るための送り機構をさらに含む。送り機構は、送りスライド５９、送りスライドばね６１、送りカム６３、送り爪６５、および送り爪ばね６７を含む。送りスライドばね６１は、リブ３１−６と４１−７との間で半部３１に配置される。ＤＥＬＲＩＮ等の剛性材料から作られた送りスライド５９は、上部に前突起５９−１および後突起５９−２を含み、送りスライドばね６１に係合する底部に中央突起５９−３を含む。送りスライド５９の側部５９−３、５９−４はテーパ状であり、カム６３の回転に伴って、送りスライド５９がリブ４１−３と３１−５との間を上下に移動できるようになっている。送りカム６３は、ＳＴＡＮＹＬＴＷ３４４等のプラスチックから作られ、前面６３−８に上突起６３−１および下突起６３−２を含む。送りスライド５９の前端部はピン５９−３により送りカム６３に枢着され、このピン５９−３は送りスライド５９に一体成形されて、送りカム６３に形成された孔を通って延びる。送りカム６３は、プラスチックから作られ、一体形成されたピン３１−１によりケーシング２５の右半部に枢着される。送り爪６５は、例えばニッケルめっきされた鋼６５等の金属から作られ、突起６３−１、６３−２間で送りカム６３の前面６３−３に配置され、送り爪ばね６７により前方に圧迫される。送り爪は、ファスナ・クリップ１１のスタブ２１に係合する歯６５−１を前端部に画定するように形成される。
【００３７】
工具２４は針ガード６９をさらに含む。
【００３８】
工具２４は以下の方法で動作する。
【００３９】
割出し位置
引金３７が完全に引かれると、引金リンク５１が前突起５９−１に当たり、送りスライド５９を前方へ押す。先に注目したように、送りスライド５９の側部５９−３、５９−４はテーパ状であり、送りカム６３の回転により生じる送りスライド５９の上下移動を補償することができるようになっている。送りスライド５９の前方運動により送りカム６３が時計方向に回転する。送りカム６３の時計方向への回転により、２つの偏心中央突起６３−１、６３−２が、矢印Ａで示すように上方向へ移動する。送り爪６５の側部６５−３、６５−４に接触するこれらの突起は、フィンガ６５−１がクリップ１１の次のファスナ・スタブに係合するように、送り爪６５を上方に移動させる。送り爪ばね６７は送り爪６５に前方への力を加え続け、これにより送り爪６５をファスナ・クリップに係合した状態に維持する。同時に、引金３７が引かれると、引金リンク５１がイジェクタ・スライド５５を前方に移動させ、イジェクタ・ロッド５６を針に押し込む。
【００４０】
送り位置
引金３７が解除されると、送りスライド５９下方の送りスライドばね６１により、送りスライド５９が後方へ移動する。送りスライドの運動により送りカム６３が反時計方向に回転し、続いて送り爪６５が下方に回転して次のファスナのスタブを担持することにより、次のファスナを定位置に移動させる。同時に、イジェクタ・ロッド５６が針４０から外れて後方へ移動する。
【００４１】
図２５〜２８を参照すると、針アセンブリの別の実施形態の斜視図、側面図、上面図、および底面図がそれぞれ示される。この針アセンブリの別の実施形態は、ステム部７３と基部７５とを有する針７１を含む。ステム部７３は、打ち抜かれ圧延された金属から作られる。ステム部７３の後端はナイフの刃７３−１を構成する。基部７５は、ステム部７３に挿入成形されたプラスチックから作られる。基部７５の後端は、戻止めを画定するように形成された面７５−１を有する。基部の前端部７５−２は止めとして働き、ファスナを付けるべき物体への針７１の穿刺を制限する。針７１は針固定具４０−２によりケーシング２５内の定位置に保持される。
【００４２】
本明細書中で記載した本発明の実施形態は、単に例示のためのものであって、当業者は、本発明の精神を逸脱することなく、数々の変更および修正を行うことができる。したがって、変更および修正は、添付の請求の範囲により定義された本発明の範囲内に入るものである。
【図面の簡単な説明】
【図１】
本発明により構成されたファスナ・クリップの側面図である。
【図２】
本発明により構成されたファスナ・クリップの部分斜視図である。
【図３】
本発明により構成されたファスナ・クリップの部分側面図である。
【図４】
本発明により構成されたファスナ・クリップの部分横断面図であり、クリップの２つのファスナ間で取った図である。
【図５】
図１〜４に示すファスナ・クリップの個々のファスナの側面図である。
【図６】
図１〜４に示すファスナ・クリップの個々のファスナの上面図である。
【図７】
図１〜４に示すファスナ・クリップの個々のファスナの正面図である。
【図８】
図１〜４に示すファスナ・クリップからプラスチック・ファスナを分配するための、本発明による工具の上面図である。
【図９】
図１〜４に示すファスナ・クリップからプラスチック・ファスナを分配するための、本発明による工具の側面斜視図であり、一部が工具に挿入された図１〜４のファスナ・クリップを含む図である。
【図１０】
針ガードを加えた、図９に示す工具の分解斜視図である。
【図１１】
ケーシングの左半部を除去し、送りスライドが送り位置にある、図９に示す工具の側面図である。
【図１１Ａ】
図１１と同様の側面図であるが、引金および引金ばねを除去した図である。
【図１２】
ケーシングの左半部を除去し、送りスライドが割出し位置にある、図８に示す工具およびファスナ・クリップの側面図である。
【図１３】
図９に示す工具およびファスナ・クリップの前端部の拡大図である。
【図１４】
図９の工具の右半部の斜視図である。
【図１５】
図９の工具の右半部の側面図である。
【図１６】
図９の工具の左半部の斜視図である。
【図１７】
図９の工具の左半部の側面図である。
【図１８】
図９に示す工具の送り爪の平面図である。
【図１９】
図９に示す工具の送り爪の上面図である。
【図２０】
図９に示す工具の送り爪の側面図である。
【図２１】
図１１に示す送りスライドの斜視図である。
【図２２】
図９に示す送りカムの斜視図である。
【図２３】
送り機構が割出し位置にある、図９に示す工具の部分概略図である。
【図２４】
送り機構が送り位置にある、図９に示す工具の部分概略図である。
【図２５】
図９に示す工具の針アセンブリの別の実施形態の斜視図である。
【図２６】
図９に示す工具の針アセンブリの別の実施形態の側面図である。
【図２７】
図９に示す工具の針アセンブリの別の実施形態の上面図である。
【図２８】
図９に示す工具の針アセンブリの別の実施形態の底面図である。
【国際公開パンフレット】
2004513030.tif 000003
2004513030.tif 000004
2004513030.tif 000005
2004513030.tif 000006
2004513030.tif 000007
2004513030.tif 000008
2004513030.tif 000009
2004513030.tif 000010
2004513030.tif 000011
2004513030.tif 000012
2004513030.tif 000013
2004513030.tif 000014
2004513030.tif 000015
2004513030.tif 000016
2004513030.tif 000017
2004513030.tif 000018
2004513030.tif 000019
2004513030.tif 000020
2004513030.tif 000021
2004513030.tif 000022
2004513030.tif 000023
2004513030.tif 000024
2004513030.tif 000025
2004513030.tif 000026
2004513030.tif 000027
2004513030.tif 000028
2004513030.tif 000029
2004513030.tif 000030
2004513030.tif 000031
2004513030.tif 000032
2004513030.tif 000033
2004513030.tif 000034
2004513030.tif 000035
2004513030.tif 000036
2004513030.tif 000037
【国際公開パンフレット（コレクトバージョン）】
2004513030.tif 000038
2004513030.tif 000039
2004513030.tif 000040
2004513030.tif 000041
2004513030.tif 000042
2004513030.tif 000043
2004513030.tif 000044
2004513030.tif 000045
2004513030.tif 000046
2004513030.tif 000047
2004513030.tif 000048
2004513030.tif 000049
2004513030.tif 000050
2004513030.tif 000051
2004513030.tif 000052
2004513030.tif 000053
2004513030.tif 000054
2004513030.tif 000055
2004513030.tif 000056
2004513030.tif 000057
2004513030.tif 000058
2004513030.tif 000059
2004513030.tif 000060
2004513030.tif 000061
2004513030.tif 000062
2004513030.tif 000063
2004513030.tif 000064
2004513030.tif 000065
2004513030.tif 000066
2004513030.tif 000067
2004513030.tif 000068
2004513030.tif 000069
2004513030.tif 000070
2004513030.tif 000071
2004513030.tif 000072
2004513030.tif 000073
【国際調査報告】
2004513030.tif 000074
2004513030.tif 000075
2004513030.tif 000076